(57)【要約】本発明は、薄壁のリング、またはその他の、変形・歪の悪影響を受け易いワーク(６)をチャッキングする方法に関する。用いるチャック(１)は、チャック躯幹体(３)中にあって、複数のクランプジョー(２)より根元側に、磁極ブロック(７)を備え、磁極ブロック(７)が少なくとも１つの磁石(４)を有する。チャッキングの対象であるワーク(６)について、該チャック(１)の複数のクランプジョー(２)の間に配置し、クランプジョー(２)を閉じることにより心出しを行ない、このように心出しされた位置・姿勢にて、磁石(４)により固定する。【選択図】図１
2011500339.tif 000002
【特許請求の範囲】
【請求項１】
薄壁のリング、またはその他の、変形・歪に敏感なワーク(６)をチャッキングする方法であって、チャック(１)として、チャック躯幹体(３)中における複数のクランプジョー(２)より根元側に、磁極ブロック(７)を備え、磁極ブロック(７)に少なくとも１つの磁石(４)が備えられたものを用い、
チャッキングすべきワーク(６)について、該チャック(１)の複数のクランプジョー(２)の間に配置し、クランプジョー(２)を閉じることにより心出しを行ない、このように心出しされた位置・姿勢にて、磁石(４)により固定するチャッキング方法。
【請求項２】
クランプジョー(２)を閉じた後、電磁石(４)からなる磁石について、通電により作動状態とすることを特徴とする請求項１に記載のチャッキング方法。
【請求項３】
心出しの役割を果たすようにクランプジョー(２)を閉じる際に、チャッキング力を生じさせることを特徴とする請求項１または２に記載のチャッキング方法。
【請求項４】
遠心力によって引き起こされる、クランプジョー(２)の締め付け力の損失を少なくとも部分的に補償すべく、回転数に依存して電磁石(４)の電場の強さを増大させることを特徴とする請求項３に記載のチャッキング方法。
【請求項５】
遠心力によって引き起こされる、クランプジョー(２)の締め付け力の損失を少なくとも部分的に補償すべく、回転数に依存して締め付け力を増大させることを特徴とする請求項３に記載のチャッキング方法。
【請求項６】
ワーク(６)における２つのむき出しの面に加工を行った後、複数のクランプジョー(２)について、外側へと開くか、もしくはその他の様式でワーク(６)から引き離すか、根元側へと引き戻すか、または、他の方式により、ワーク(６)における加工を行うべき面から引き離し、そして、
電磁石(４)のみにより、ワーク(６)についての固定を実現することを特徴とする請求項２〜５のいずれかに記載のチャッキング方法。
【請求項７】
クランプジョー(２)を引き離した後、電磁石(４)の電場の強さを増大させることを特徴とする請求項６に記載のチャッキング方法。
【請求項８】
請求項１〜７のいずれかに記載のチャッキング方法を実施するためのチャックであって、チャックには、複数個のクランプジョー(２)がチャック躯幹体(３)中に半径方向に案内されて備えられ、チャック躯幹体(３)には、クランプジョー(２)より根元側に、少なくとも１つの電磁石(４)を備えた磁極ブロック(７)が配置されていることを特徴とするチャック。
【請求項９】
クランプジョー(２)に挟まれる各磁石領域(５)内には、１つの電磁石(４)をなすソレノイドコイル装置が配置されるか、または、複数の電磁石(４)をなす複数のソレノイドコイル装置が配置され、また、磁石領域(５)は、隣合う磁石領域(５)間で互いに異なる磁気極性を有するように配置されることを特徴とする請求項８に記載のチャック。
【請求項１０】
６個のクランプジョー(２)、及び、６個の磁石領域(５)が備えられることを特徴とする請求項９に記載のチャック。
【請求項１１】
各磁石領域(５)が、中央での分割により、互いに極性の異なる複数の領域を有していることを特徴とする請求項９または１０に記載のチャック。
【発明の詳細な説明】
【技術分野】
【０００１】
本発明は、変形・歪の悪影響を受け易いワーク（変形・歪に敏感なワーク）、特に薄壁のリングをチャッキング（chucking）する次のような方法からなる。すなわち、チャックとしては、チャック躯幹体中にあって、複数のクランプジョーより根元側に、少なくとも１つの磁石を有する磁極ブロック（magnetic pole block）が備えられたものを用いる。そして、チャッキングすべきワークについて、該チャックの複数のクランプジョーの間に配置し、クランプジョーを閉じることにより心出し（centering alignment）を行ない、このように心出しされた位置・姿勢にて、磁石により固定する。この方法を実施するためのチャックも、本発明の対象である。
【背景技術】
【０００２】
変形・歪に敏感なワークを切削加工するため、該ワークについて、磁石を用いてワークをチャッキングする装置を使用して、保持することが技術水準から知られている。例えばドイツ実用新案DE29904532U1に記載されている。しかしながら、このようなチャッキングは、ワークの取り付け面が小さい場合に、保持力が小さくなりすぎるという不利な点と結び付いている。この問題は、原理上、薄壁のリングである場合のワークの形状に起因する。このようなワークの形状は、約250mm〜5000mmの範囲の径を有する軸受リングとして、必要となるようなものである。このような問題以外にも、加工動作の際に出現する応力によって、ワークの位置がずらされる可能性がある。また、心出しされたチャッキングが磁石により行われることがないので、加工動作の開始前に、ワークを正確に心合わせするのに多大な時間を費やす必要がある。
【先行技術文献】
【特許文献】
【０００３】
【特許文献１】ドイツ特許DE4200269C
【特許文献２】ドイツ実用新案DE29904532U1
【発明の概要】
【発明が解決しようとする課題】
【０００４】
したがって、本発明の根底をなす課題は、前述の不利な点の発生が防がれた方法を提供することである。さらに本発明の課題は、本発明による方法を実施することのできるチャックを提供することである。
【課題を解決するための手段】
【０００５】
上記課題における方法に関する部分は、冒頭に述べた方法によって解決される。
【発明の効果】
【０００６】
この方法は、次のような事実を生かしたものである。すなわち、さらなる労力を要することなく、上記チャックにより、心出しを伴うチャッキングを実現できる。したがって、ワークの加工動作を開始する前に、シンプルな方式により、ワークの正確な心出しが確実に実現される。また、上記チャックを使用することにより、ワークはチャックの複数のクランプジョーによって、嵌合または突き当てにより係止されて固定されている。そのため、加工作動の際に出現する力により、ワークの位置がずれることがない。なお、本発明の方法では、以下に留意すべきである。上記チャックは、該チャックについての通常の一般的な所定の目的から外れて、次のように用いることができるのであり、変形・歪に敏感なワークのチャッキングに当然に用いなければならないというのではない。すなわち、心出しの役割を果たすようにクランプジョーを閉じる際に、チャッキング力を生じさせるという、補助的な用い方も、もちろん可能である。
【図面の簡単な説明】
【０００７】
【図１】本発明のチャックについて、先端側から見た模式的な図である。チャッキングされた軸受けリングをも併せて示す。
【発明を実施するための形態】
【０００８】
本発明の枠内において、複数のクランプジョーを閉じた後、電磁石として具現された磁石について、通電を行って作動をさせるというのであれば好ましい。このようであると、クランプジョーによるワークの心出しが、永久磁石との相互作用による干渉や妨げを受けることなく実現できる。
【０００９】
また、本発明の枠内において、次のような形態をとることができる。すなわち、遠心力によって発生するクランプジョーの締め付け力損失を少なくとも部分的に補償すべく、回転数に依存して電磁石の電場の強さを大きくすることができる。このようにして、ワークの位置・姿勢を、確実に保持することができる。当然ながら、次のような形態をとることもできる。すなわち、遠心力によって発生するクランプジョーの締め付け力損失を少なくとも部分的に補償するため、回転数に依存して締め付け力自体を増大させることもできる。
【００１０】
上記のドイツ実用新案DE29904532U1に記載の装置とは異なり、チャックを使用しているためにワークの加工は２つの面でのみ可能である。というのは、第３の面はクランプジョーにより遮られているからである。このため、本発明の枠内において、次のことが想定されている。すなわち、ワークにおける遮られていない２つの面について加工を行った後、クランプジョーをワークから引き離し、ワークの固定が電磁石だけで行われるようにする。このようにすることで、クランプジョーを用いることに起因する不都合を回避することができる。
【００１１】
また、ワークの位置・姿勢のズレを阻止すべく、本発明による方法の枠内において、クランプジョーを引き離した後、電磁石の電場の強さを増大させることが想定されている。
【００１２】
上記の本発明の課題における装置に関する部分は、次のようなチャックによって解決される。チャックは、手動操作式または動力操作式であって、次のような特徴を有する。すなわち、一つのチャック躯幹体中に、半径方向に案内されている複数のクランプジョーを有し、チャック躯幹体には、複数のクランプジョーより根元側に、磁極ブロック、及び、少なくとも１つの電磁石が配置されている。技術水準により基本構造が公知となっているチャックの内部にて、磁極ブロックと電磁石とを一体に設けるならば、次のような実施形態をとることができる。すなわち、技術水準により公知であるチャックの基本構造をそのままに保つことができ、特には、根元側に配置されている磁極ブロックにより、クランプジョーの位置・姿勢のシフトの範囲が制限されることがないという実施形態が得られる。
【００１３】
また、次のようであると特に好ましい。すなわち、複数の磁石領域中にあって複数のクランプジョーの間には、一つの電磁石からなる一つのソレノイド・コイル装置が配置されるか、または、複数の電磁石からなる複数のソレノイド・コイル装置が配置される。この配置構成によると、わずかな構造上の損失でもって、すなわち、小さな構造部分を用いるだけで、大きな電場の強さを得ることができる。さらには、６個のクランプジョーと６個の磁石領域が設けられているのが好ましい。このようであると、機械装置のコストを小さくすることと、変形や歪に敏感なワークに対して、周方向に均一な応力を作用させることとの間にて、合理的な妥協が得られるからである。
【００１４】
上記の他に、各磁石領域が、中央での分割により、極性の異なる複数の領域を有しているならば好ましい。このようであると、任意の奇数個のクランプジョーを使用することも可能だからである。
【００１５】
以下に、本発明の、図面に示す実施形態について詳細に説明する。
【００１６】
図１には、本発明を手動操作式または動力操作式の実施形態にて実施するのに用いることのできるチャック１について示す。クランプジョー２を作動させるためのチャック１の基本構造は、技術水準から、そのまま引き継ぐことができるので、図１には、本発明の説明に充分である模式的な、先端側から見た図を示す。図１に示すチャック躯幹体３中には、複数個のクランプジョー２、詳しくは６個のクランプジョー２が半径方向に案内されている。チャック躯幹体３中にあって、これらクランプジョー２に比べて根元側に、少なくとも１つの電磁石４を備えた磁極ブロック７が配置されている。図示の実施例によれば、電磁石４が、この場合も先と同様に、６個存在する。これらの電磁石４は、クランプジョー２が位置・姿勢をシフトする距離範囲内に位置している。不図示の実施例によると、各磁石領域５が、中央での分割により、相異なる極性の複数の部分領域を有するようにすることができるのであり、この場合にも、隣合う２つの磁石領域における、互いに隣合う部分領域が相異なる極性を有することに変わりはない。上記の複数の電磁石４により、複数の磁石領域５が決定されるのであり、ここで、隣合う磁石領域５は、異なる磁極性を有する。このようなチャック１を用いるならば、変形・歪に敏感なワーク６、特には軸受リングのような薄壁のリングを、複数のクランプジョー２の間に配置することができ、このワーク６について、クランプジョー２を閉じることによって心出しすることができる。ワーク６の心出しの後、ワーク６は、磁石の作用により保持される。特には、電磁石４に通電して作動状態とすることにより保持される。ここで、このように保持する保持力は、言うまでもなく、クランプジョー２によって補強することができる。しかし、変形・歪に敏感なワーク６が歪むのを避けるために、クランプジョー２は、チャッキングの荷重・応力を主として担うということがないようにすべきである。また、本発明のチャック１によると、次のような形態をとることができる。すなわち、遠心力に起因するクランプジョー２の締め付け力損失を補償するため、電磁石４の電場の強さを大きくすること、および／または、クランプジョー２の締め付け力そのものを増大させること（すなわち、これらの少なくとも一方）が行われる。また、ワーク６における２つの、完全にむき出しとなっている面（すなわち、リングの内周面、及び先端側の端面）について加工を行った後に、ワーク６における、未加工の、加工を行うべき面（すなわち、リングの外周面）についても加工を行うことができるようにすべく、以下のことが想定されている。すなわち、これらクランプジョー２について、開くか、根元側へと後退させるか、または、他の方式により未加工の、加工予定の面から引き離す。場合によっては、電磁石４の電場の強さを増大させる。すると、電磁石４の電場のみによって、ワーク６のチャッキングが行われることとなる。
【図１】
2011500339.tif 000003
【国際調査報告】
2011500339.tif 000004
2011500339.tif 000005
2011500339.tif 000006
2011500339.tif 000007